(57)【要約】【課題】エアゾール内容物を特定の範囲にのみ噴霧するのに適したエアゾール噴射ノズルの反転噴射駆動機構を提供する。【解決手段】噴射ノズルからのエアゾール内容物の噴射動作の反作用で前記噴射ノズルを可動させるエアゾール容器の噴射ノズル反転駆動機構であって、前記噴射ノズルからのエアゾール内容物の噴射動作の反作用を利用して、前記噴射ノズルを所定の角度範囲で反転回転運動させるエアゾール容器の噴射ノズル反転駆動機構。【選択図】  図  １
2004351360.tif 000002
【特許請求の範囲】
【請求項１】
噴射ノズルからのエアゾール内容物の噴射動作の反作用で前記噴射ノズルを可動させるエアゾール容器の噴射ノズル反転駆動機構であって、
前記噴射ノズルからのエアゾール内容物の噴射動作の反作用を利用して、前記噴射ノズルを所定の角度範囲で反転回転運動させるエアゾール容器の噴射ノズル反転駆動機構。
【請求項２】
前記噴射ノズル反転駆動機構は、
前記噴射ノズルを、取付けキャップに対して回転自在な軸心部分と該軸心部分から半径方向に延びるアーム部分とからなる主軸回転部と、
前記アーム部分の軸方向に回転自在に結合された先端部分とからなる従軸回転部と、
で構成したことを特徴とする請求項１に記載のエアゾール容器の噴射ノズル反転駆動機構。
【請求項３】
前記噴射ノズルの主軸回転部と従軸回転部とは、それぞれ、Ｏリングを含むホルダーで回転自在に結合されていることを特徴とする請求項２に記載のエアゾール容器の噴射ノズル反転駆動機構。
【請求項４】
前記取付けキャップには、前記噴射ノズルが当接する規制部材を所定の角度で２個配置し、該規制部材に前記噴射ノズルの従属回転部のリターンレバーが当接することによって、噴射ノズルの回転方向が反転することを特徴とする請求項２又は３に記載のエアゾール容器の噴射ノズル反転駆動機構。
【請求項５】
前記規制部材の配置位置を変更することによって反転駆動させる角度を変更することが可能な請求項４に記載のエアゾール容器の噴射ノズル反転駆動機構。
【発明の詳細な説明】
【０００１】
【発明の属する技術分野】
本発明は、エアゾール容器に関し、特にエアゾール内容物を特定の範囲に噴霧するのに適したエアゾール噴射ノズルの反転噴射駆動機構に関する。
【０００２】
【従来の技術】
従来、エアゾール容器を使用して殺虫剤、消臭剤、殺菌剤あるいは消毒剤等の内容物を、室内等で多量に、且つ均一に噴霧使用とする場合には、手でエアゾール容器を持った使用者が室内を移動しながらエアゾール内容物を噴霧するのが普通であった。
しかしこの場合には、噴霧作業が終了するまで、手でエアゾール容器を押圧し続けなければならないため、煩雑であると共に、噴射ミストを使用者が吸入してしまう恐れがあった。
【０００３】
この問題を解決するものとして、使用者がエアゾール容器から手を離して、床や卓上に載置したままでも内容物の噴霧を維持し得るエアゾール容器（装置）として以下のものが知られている。（例えば、特許文献１）
【０００４】
【特許文献１】実公平５−４５４０１号公報
（００１９）〜（００２５）
【０００５】
上記引用文献１には、図５と共に、以下の開示がなされている。
エアゾール容器１はアルミニウムやブリキなどの金属製の圧力容器であり、内部には殺虫剤、殺菌剤、消毒剤、消臭剤などのエアゾール内容物が噴射剤とともに入られるようになっている。
前記エアゾール容器の１の上部にはマウンティングキャップ５によりバルブ（図示されていない）が取りつけられており、そのバルブは具備するステム６を押し込んだり、傾倒すれば開弁して充填されているエアゾール内容物を噴射しうるようになっている。
【０００６】
前記キャップ２は短筒状の部材で、外周壁の下端部内周に嵌合突起が形成され、それをマウンティングキャップ５の外周部に嵌合させて、エアゾール容器１の上端に固定されている。
【０００７】
押しボタン３はキャップ２に連結片７で揺動自在に連結されており、自由端側では係合突起８（アンダーカット（ロック用））が形成されている。
常態では押しボタン３は、連結片７の弾力でキャップ２の係合部９の上方に位置しているが、指で押し下げれば自由端側が下降して係合突起８が係合部９の下側へくるように押し下げることができる。
そのように係合突起８が係合部９に係合するよう押し下げた場合は、指を離しても押し下げ状態を保つことができる。
なお、係合突起８の係合を外す場合は、押しボタン３を少し強く押し上げればよい。
押しボタン３の中央部には嵌合部１０が形成されており、それに前記ステム６の上端が密閉状態でかつ抜け出さないように嵌合されている。
【０００８】
噴射ノズル４は押しボタン３に回転自在に取り付けられている。
噴射ノズル４は回転中心に位置する軸心部分１１と該軸心部分１１から半径方向に延びるアーム部分１２と該アーム部分１２に連続する先端部１３とからなり先端部１３の先端は噴口１４となっている。
本実施例では噴射ノズル４は１本のパイプを折り曲げて構成されている。
【０００９】
本考案では、以上のごとく噴口１４が接線方向成分を有する方向に向いていることから、噴口１４からエアゾール内容物が噴射されるとき、その反動によって噴射ノズル４が矢印Ｒ方向に旋回するように動かされる。
また噴口１４の向きがエアゾール装置の上方すなわち上方向成分をもつように、先端部分１３が曲げられている。
したがって、本考案における噴射ノズル４からエアゾール内容物が噴射されるとエアゾール内容物が上方にも噴射される。
【００１０】
【発明が解決しようとする課題】
上述の如く、従来の使用者がエアゾール容器から手を離して、床や卓上に載置したままでも内容物の噴霧を維持し得るエアゾール容器では、噴口からのエアゾール内容物が噴射されるとき、その反動によって噴射ノズル４が旋回して周囲にエアゾール内容物を噴射することができるが、エアゾール容器の周囲全てに噴射され、使用者の意志で特定の範囲のみに噴射することはできなかった。
【００１１】
本発明の課題
（目的）は、エアゾール内容物を特定の範囲にのみ噴霧するのに適したエアゾール噴射ノズルの反転噴射駆動機構を提供することにある。
【００１２】
【課題を解決するための手段】
前記課題を解決するために、噴射ノズルからのエアゾール内容物の噴射動作の反作用で前記噴射ノズルを可動させるエアゾール容器の噴射ノズル反転駆動機構であって、前記噴射ノズルからのエアゾール内容物の噴射動作の反作用を利用して、前記噴射ノズルを所定の角度範囲で反転回転運動させる。（請求項１）
【００１３】
また、前記噴射ノズル反転駆動機構は、前記噴射ノズルを、取付けキャップに対して回転自在な軸心部分と該軸心部分から半径方向に延びるアーム部分とからなる主軸回転部と、前記アーム部分の軸方向に回転自在に結合された先端部分とからなる従軸回転部とで構成する。（請求項２）
また、前記噴射ノズルの主軸回転部と従軸回転部とは、それぞれ、Ｏリングを含むホルダーで回転自在に結合する。（請求項３）
また、前記取付けキャップには、前記噴射ノズルが当接する規制部材を所定の角度で２個配置し、該規制部材に前記噴射ノズルの従属回転部のリターンレバーが当接することによって、噴射ノズルの回転方向が反転する構成とする。（請求項４）
また、前記規制部材の配置位置を変更することによって反転駆動させる角度を変更する構成とする。（請求項５）
【００１４】
【発明の実施の形態】
次に、図１〜４を用いて本発明のエアゾール噴射ノズルの反転噴射駆動機構について説明する。
図１は、エアゾール容器にキャップ本体を取り付けた状態における噴射ノズル反転噴射駆動機構部の正面断面図（一部正面図）である。
図１で、２１はエアゾール容器で、キャップ本体２３が肩カバー２２を介して該エアゾール容器の中心軸線芯（ａ）上にある液供給口３４上に固定される。
【００１５】
キャップ本体２３には、エアゾール容器の中心軸線芯（ａ）上に接続された第１のパイプ２７を中心線軸芯（ａ）を中心にして回転（この回転を主軸回転という）可能にする第１の回転機構を構成する第１のＯリング２６及び第１のストッパー２５を固定する第１のホルダー２４  が設けられている。
【００１６】
前記第１のパイプ２７はキャップ本体上で直角に曲げられていて、第２のパイプ３２を第１のパイプの中心軸（ｂ）を中心にして回転（この回転を従軸回転という）可能に接続する第２の回転機構を構成する第２のＯリング３０、第２のストッパー２９を固定する第２のホルダー２８が設けられている。
前記第２のパイプ３２は、第３のホルダー３１の外部で直角に曲げられてリターンレバー３３に保持されてエアゾール液の噴射口を形成している。
また、３４−ａは主軸回転の回転範囲を規制し、従軸のリターンレバーを反転させると同時に主軸も反転運動させるための規制部材である。
【００１７】
図２は、エアゾール容器にキャップ本体を取り付けた状態における噴射ノズル反転噴射駆動機構部の上面図である。
図２では、前記第１の回転機構がエアゾール容器の中心軸線芯（ａ）上に接続された第１のパイプ２７を中心線軸芯（ａ）を中心にして回転する主軸回転の態様を示す模式図である。
【００１８】
図２において、第２のパイプ３２、第２のホルダー２８、第３のホルダー３１及びリターンレバー３３で構成される第２の回転機構は、エアゾール容器の中心軸線芯上に接続された第１のパイプ２７を中心線軸芯を中心にして規制部材３４−ａ、３４−ｂで規制される図２でＲの矢印で示す範囲で、噴口からエアゾール内容物が噴射されるときの反動力によって反復回転する構造になっている。
なお、図２において、一転鎖線で示している第２の回転機構部分は、一方の規制部材（図２では３４−ｂ）に当節している状態を示している。
【００１９】
図３は、エアゾール容器にキャップ本体を取り付けた状態における噴射ノズル反転噴射駆動機構部の側面断面図である。
図３は、前記第２のパイプ３２の第１のパイプ２７との接続部の中心線（ｂ）を中心にして第２の回転機構が回転する従軸回転に伴うリターンレバー３３及び第２のパイプ３２の噴射口部分の動作の態様を示す模式図である。
（図３では、図２で矢印Ｒで示す回転規制範囲の中央にあって、第２の回転機構部分が回転する態様を示している。）
第２の回転機構部分も、噴口からエアゾール内容物が噴射されるときの反動によって図示の如く反転する。
【００２０】
図４は、エアゾール容器にキャップ本体を取り付けた状態における噴射ノズル反転噴射駆動機構部の別の側面断面図である。
図４は、第１の回転機構及び第２の回転機構が反転回転した場合の、リターンレバー３３及び第２のパイプ３２の噴射口部分の動作の態様を示す模式図である。
この第１の回転機構及び第２の回転機構とも、噴口からエアゾール内容物が噴射されるときの反動によって図示矢印の如く、回転規制部材間で反転回転を継続する。
【００２１】
上記の如く、本発明の噴射ノズル反転噴射駆動機構は、第１の回転機構及び第２の回転機構とを備えているため、噴射口からのエアゾール内容物の噴射に伴う反動によって、何れかの方向（噴射が開始された時点の第２の回転機構の傾きによって決まる）の主軸回転が開始され、該回転によって、リターンレバーが回転範囲規制部材に当節すると、第２の回転機構の傾きが反転して、主軸回転の方向も反転する。
この動作を繰り返して、所定の回転範囲内で反転回転を繰り返すことになる。
【００２２】
【発明の効果】
請求項１に記載の発明では、、噴射ノズルからのエアゾール内容物の噴射動作の反作用で前記噴射ノズルを可動させるエアゾール容器の噴射ノズル反転駆動機構であって、前記噴射ノズルからのエアゾール内容物の噴射動作の反作用を利用して、前記噴射ノズルを所定の角度範囲で反転回転運動させることによって、エアゾール内容物を特定の範囲にのみ噴霧するのに適したエアゾール噴射ノズルの反転噴射駆動機構を実現できる。
【００２３】
また、請求項２に記載の発明では、前記噴射ノズル反転駆動機構は、前記噴射ノズルを、取付けキャップに対して回転自在な軸心部分と該軸心部分から半径方向に延びるアーム部分とからなる主軸回転部と、前記アーム部分の軸方向に回転自在に結合された先端部分とからなる従軸回転部とで構成するので、水平方向の回転と垂直方向の回転とを組み合わせた特定の可動部分にエアゾール内容物を噴霧するのに適したエアゾール噴射ノズルの反転噴射駆動機構を実現できる。
【００２４】
また、請求項３に記載の発明では、前記噴射ノズルの主軸回転部と従軸回転部とは、それぞれ、Ｏリングを含むホルダーで回転自在に結合することによって、簡単な構成で水平回転と垂直方向の回転とを組み合わせた特定の可動部分にエアゾール内容物を噴霧するのに適したエアゾール噴射ノズルの反転噴射駆動機構を実現できる。
【００２５】
また、請求項４及び５に記載の発明では、前記取付けキャップには、前記噴射ノズルが当接する規制部材を所定の角度で２個配置し、該規制部材に前記噴射ノズルの従属回転部のリターンレバーが当接することによって、噴射ノズルの回転方向が反転する構成とし、該規制部材の配置位置を変更することによって反転駆動させる角度を変更する構成とすることができる。
【図面の簡単な説明】
【図１】本発明の噴射ノズル反転噴射駆動機構部の正面断面図である。
【図２】本発明の噴射ノズル反転噴射駆動機構部の上面図である。
【図３】本発明の噴射ノズル反転噴射駆動機構部の側面図である。
【図４】本発明の噴射ノズル反転噴射駆動機構部の別の側面図である。
【図５】従来の噴射ノズル駆動機構部の正面断面図である。
【符号の説明】
２１      エアゾール容器
２２            肩カバー
２３      キャップ本体
２４      第１のホルダー
２５      第１のストッパー
２６      第１のＯリング
２７      第１のパイプ
２８      第２のホルダー
２９      第２のストッパー
３０      第２のＯリング
３１      第３のホルダー
３２      第２のパイプ
３３      リターンレバー
３４      液供給口
３４−ａ，３４−ｂ    規制部材
【図１】
2004351360.tif 000003
【図２】
2004351360.tif 000004
【図３】
2004351360.tif 000005
【図４】
2004351360.tif 000006
【図５】
2004351360.tif 000007
【手続補正書】
【提出日】平成15年6月13日(2003.6.13)
【手続補正１】
【補正対象書類名】明細書
【補正対象項目名】０００５
【補正方法】変更
【補正の内容】
【０００５】
上記引用文献１には、図５と共に、以下の開示がなされている。
エアゾール容器１はアルミニウムやブリキなどの金属製の圧力容器であり、内部には殺虫剤、殺菌剤、消毒剤、消臭剤などのエアゾール内容物が噴射剤とともに入れられるようになっている。
前記エアゾール容器の１の上部にはマウンティングキャップ５によりバルブ（図示されていない）が取りつけられており、そのバルブは具備するステム６を押し込んだり、傾倒すれば開弁して充填されているエアゾール内容物を噴射しうるようになっている。


【手続補正２】
【補正対象書類名】明細書
【補正対象項目名】００１８
【補正方法】変更
【補正の内容】
【００１８】
図２において、第２のパイプ３２、第２のホルダー２８、第３のホルダー３１及びリターンレバー３３で構成される第２の回転機構は、エアゾール容器の中心軸線芯上に接続された第１のパイプ２７を中心線軸芯を中心にして規制部材３４−ａ、３４−ｂで規制される図２でＲの矢印で示す範囲で、噴口からエアゾール内容物が噴射されるときの反動力によって反復回転する構造になっている。
なお、図２において、一点鎖線で示している第２の回転機構部分は、規制部材の中間位置にある状態を示している。


【手続補正３】
【補正対象書類名】明細書
【補正対象項目名】００１９
【補正方法】変更
【補正の内容】
【００１９】
図３は、エアゾール容器にキャップ本体を取り付けた状態における噴射ノズル反転噴射駆動機構部の側面断面図である。
図３は、前記第２のパイプ３２と第１のパイプ２７との接続部の中心線（ｂ）を中心にして第２の回転機構が回転する従軸回転に伴うリターンレバー３３及び第２のパイプ３２の噴射口部分の動作の態様を示す模式図である。
（図３では、図２で矢印Ｒで示す回転規制範囲の中央にあって、第２の回転機構部分が回転する態様を示している。）
第２の回転機構部分も、噴口からエアゾール内容物が噴射されるときの反動によって図示の如く反転する。


【手続補正４】
【補正対象書類名】図面
【補正対象項目名】図２
【補正方法】変更
【補正の内容】
【図２】
2004351360.tif 000008
【手続補正５】
【補正対象書類名】図面
【補正対象項目名】図３
【補正方法】変更
【補正の内容】
【図３】
2004351360.tif 000009
【手続補正６】
【補正対象書類名】図面
【補正対象項目名】図４
【補正方法】変更
【補正の内容】
【図４】
2004351360.tif 000010